(57)【要約】【課題】構造の複雑化や製造コストの高騰を招くことなく、高温の部位に誤って触れる事態を回避し得るプロジェクタを提供する。【解決手段】冷却ファン８と、電源部１６と、電源部１６から電源が供給されている状態において手動電源遮断条件および自動電源遮断条件のいずれかが満たされたときに所定時間に亘って冷却ファン８を作動させた後に電源部１６に対して電源の供給を停止させる制御部（冷却ファン制御部９および主制御部１４）とを備え、制御部は、手動電源遮断条件が満たされたときに所定時間として第１の時間に亘って冷却ファン８を回転させると共に、自動電源遮断条件が満たされたときに所定時間として第１の時間よりも長い第２の時間に亘って冷却ファン８を回転させる。【選択図】図１
2009025337.tif 000002
【特許請求の範囲】
【請求項１】
冷却ファンと、電源部と、当該電源部から電源が供給されている状態において手動電源遮断条件および自動電源遮断条件のいずれかが満たされたときに所定時間に亘って前記冷却ファンを作動させた後に当該電源部に対して当該電源の供給を停止させる制御部とを備え、
前記制御部は、前記手動電源遮断条件が満たされたときに前記所定時間として第１の時間に亘って前記冷却ファンを回転させると共に、前記自動電源遮断条件が満たされたときに前記所定時間として前記第１の時間よりも長い第２の時間に亘って前記冷却ファンを回転させるプロジェクタ。
【請求項２】
前記制御部は、前記手動電源遮断条件が満たされたときに前記第１の時間に亘って第１の回転速度で前記冷却ファンを回転させると共に、前記自動電源遮断条件が満たされたときに、前記第１の時間に亘って前記第１の回転速度で前記冷却ファンを回転させた後に当該第１の回転速度とは相違する第２の回転速度で前記冷却ファンを回転させる請求項１記載のプロジェクタ。
【請求項３】
前記制御部は、前記第２の回転速度として前記第１の回転速度よりも速い回転速度で前記冷却ファンを回転させる請求項２記載のプロジェクタ。
【請求項４】
前記冷却ファンによる冷却処理が未完了であることを報知する報知部を備え、
前記制御部は、前記自動電源遮断条件が満たされたときに、前記第１の時間が経過した時点において前記報知部を制御して前記未完了であることの報知を開始させる請求項１から３のいずれかに記載のプロジェクタ。
【請求項５】
前記報知部は、発光部を備え、当該発光部による連続点灯、および当該発光部による点滅発光のいずれかによって前記未完了であることを報知する請求項４記載のプロジェクタ。
【請求項６】
前記制御部は、前記自動電源遮断条件が満たされて前記第１の時間が経過した時点以降において所定のスイッチ操作が行われたときに前記冷却ファンを停止させて前記電源部に対して前記電源の供給を停止させる請求項１から５のいずれかに記載のプロジェクタ。
【請求項７】
電源部から電源が供給されている状態において手動電源遮断条件および自動電源遮断条件のいずれかが満たされたときに所定時間に亘って冷却ファンを作動させた後に当該電源部に対して当該電源の供給を停止させるプロジェクタの制御方法であって、
前記手動電源遮断条件が満たされたときに前記所定時間として第１の時間に亘って前記冷却ファンを回転させると共に、前記自動電源遮断条件が満たされたときに前記所定時間として前記第１の時間よりも長い第２の時間に亘って前記冷却ファンを回転させるプロジェクタの制御方法。
【発明の詳細な説明】
【技術分野】
【０００１】
本発明は、電源遮断時に所定時間に亘って冷却ファンを回転させて投写機構等を冷却処理するプロジェクタ、およびプロジェクタの制御方法に関するものである。
【背景技術】
【０００２】
この種のプロジェクタとして、電源遮断時に冷却ファンによって筐体内部を所定時間に亘って冷却する構成が採用されたプロジェクタ装置（以下、「プロジェクタ」ともいう）が特開平５−２５７５４２号公報に開示されている。このプロジェクタでは、電源オフ操作が行われたときに（電源投入状態において電源スイッチが操作されたときに）、制御部が、温度検出部によって検出された筐体内の温度（温度値）を判定部に出力する。これに応じて、判定部は、制御部を介して記憶部から読み出した基準温度値と制御部から出力された温度値とに基づいてその温度差を演算（判定）し、演算結果を時間判別部に出力する。一方、時間判別部は、制御部を介して記憶部から読み出した時間のデータに基づき、判定部から出力された温度差に対応する時間（各種温度差にそれぞれ対応して規定された冷却ファンの作動時間）を特定（判別）し、特定した時間を制御部を介してタイマーにセットする。
【０００３】
これに応じて、タイマーは、セットされた時間の計数を開始すると共に、残り時間（時間判別部によってセットされた時間から計数した時間を減算した時間）を演算して演算結果を制御部に報知する。また、制御部は、タイマーによって演算された残り時間を表示部（表示パネル等）に表示させる。この際に、冷却ファンは、上記の電源オフ操作が行われた時点から時間判別部によって特定された時間が経過するまで電源の供給が継続されることで、筐体内部を冷却する。また、時間判別部によって特定された時間が経過した際（タイマーによって計数された残り時間がゼロとなったとき）には、冷却ファンに対する電源の供給が停止して、冷却処理が完了する。これにより、電源遮断処理が完了する。
【特許文献１】特開平５−２５７５４２号公報（第２−３頁、第１図）
【発明の開示】
【発明が解決しようとする課題】
【０００４】
ところが、従来のプロジェクタには、以下の問題点がある。すなわち、従来のプロジェクタでは、電源オフ操作が行われたとき（以下、「手動電源遮断」ともいう）に、温度検出部によって検出された筐体内の温度に応じて冷却ファンの動作を継続する時間長を決定すると共に、残り時間を表示部に表示させつつ、決定した時間だけ冷却ファンを動作させる構成が採用されている。この場合、この種のプロジェクタでは、一般的には、筐体内部の光源ランプや光変調素子（従来のプロジェクタにおける液晶パネル）等の機構部品が熱に起因して故障することがない程度までこれらを冷却するのに必要な最低限の時間だけ冷却ファンを動作させる構成が採用されている。したがって、この種のプロジェクタでは、規定時間が経過して冷却ファンが停止した時点においても、筐体内部の上記の各機構部品や、筐体における上記の各機構部品の近傍においてパネルが非常に高い温度を維持した状態となっている。
【０００５】
一方、この種のプロジェクタのなかには、上記の例のような手動電源遮断時のみならず、予め規定された自動電源遮断条件（例えば、「映像信号が入力されずに所定時間が経過したとき」との条件や「筐体の内部温度が所定温度を超えたとき」との条件）が満たされたときに電源を自動的に遮断する構成（以下、「自動電源遮断」ともいう）が採用されたものが存在する。この場合、手動電源遮断時においては、電源オフ操作を実行した利用者が直前までプロジェクタが動作していたことを認識しているため、冷却ファンが停止した状態において、筐体内部の機構部品や筐体のパネルがある程度高い温度を維持していることを理解して、これらの高温の部位に誤って触れる事態が回避される。しかしながら、自動電源遮断時においては、冷却ファンが停止した状態において、直前までプロジェクタが動作していたか否かを利用者が認識していないため、筐体内部の機構部品や筐体のパネル等の高温の部位に誤って触れて不快な思いをしたり、最悪の場合には火傷を負ったりすることがあるという問題点が存在する。
【０００６】
この場合、特開平５−８８２６１号公報には、投写用ランプの温度を検出することで高温の投写用ランプに誤って触れる事態を回避する構成の液晶プロジェクタ（以下、「プロジェクタ」ともいう）が開示されている。具体的には、このプロジェクタは、投写用ランプの温度を検出する温度センサと、投写用ランプの収納部を開閉する扉をロックするロック機構部とを備え、温度センサによる検出温度が所定温度以下となるまでロック機構部による扉のロック状態を維持する構成が採用されている。これにより、利用者が直前までプロジェクタが動作していたことを認識しているか否かを問わず、投写用ランプが高温であるときに扉がロックされるため、高温の投写用ランプに誤って触れる事態が回避される。しかしながら、このプロジェクタには、ロック機構部の存在に起因して構造が複雑化すると共に、ロック機構部の分だけその製造コストが高騰するという問題点がある。また、このプロジェクタでは、筐体における投写用ランプの近傍のパネルなどは、ロック機構部の動作状態とは無関係に容易に触れることができるため、この高温の部位に誤って触れて不快な思いをするという問題点もある。
【０００７】
本発明は、かかる問題点に鑑みてなされたものであり、構造の複雑化や製造コストの高騰を招くことなく、高温の部位に誤って触れる事態を回避し得るプロジェクタ、およびプロジェクタの制御方法を提供することを主目的とする。
【課題を解決するための手段】
【０００８】
上記目的を達成すべく、本発明に係るプロジェクタは、冷却ファンと、電源部と、当該電源部から電源が供給されている状態において手動電源遮断条件および自動電源遮断条件のいずれかが満たされたときに所定時間に亘って前記冷却ファンを作動させた後に当該電源部に対して当該電源の供給を停止させる制御部とを備え、前記制御部が、前記手動電源遮断条件が満たされたときに前記所定時間として第１の時間に亘って前記冷却ファンを回転させると共に、前記自動電源遮断条件が満たされたときに前記所定時間として前記第１の時間よりも長い第２の時間に亘って前記冷却ファンを回転させる。
【０００９】
また、本発明に係るプロジェクタの制御方法は、電源部から電源が供給されている状態において手動電源遮断条件および自動電源遮断条件のいずれかが満たされたときに所定時間に亘って冷却ファンを作動させた後に当該電源部に対して当該電源の供給を停止させるプロジェクタの制御方法であって、前記手動電源遮断条件が満たされたときに前記所定時間として第１の時間に亘って前記冷却ファンを回転させると共に、前記自動電源遮断条件が満たされたときに前記所定時間として前記第１の時間よりも長い第２の時間に亘って前記冷却ファンを回転させる。
【００１０】
このプロジェクタ、およびプロジェクタの制御方法によれば、電源部から電源が供給されている状態において、手動電源遮断条件が満たされたときに第１の時間に亘って冷却ファンを回転させた後に電源部に対して電源の供給を停止させると共に、自動電源遮断条件が満たされたときに第１の時間よりも長い第２の時間に亘って冷却ファンを回転させた後に電源の供給を停止させることにより、冷却ファンの停止後に利用者が直前までプロジェクタが動作していたか否かを認識するのが困難な自動電源遮断時においてプロジェクタを十分に冷却することができる結果、構造の複雑化や製造コストの高騰を招くことなく、利用者が冷却ファンやその周囲の筐体に触れた際に不快な思いをしたり火傷を負ったりする事態を確実に回避することができる。
【００１１】
また、本発明に係るプロジェクタは、前記制御部が、前記手動電源遮断条件が満たされたときに前記第１の時間に亘って第１の回転速度で前記冷却ファンを回転させると共に、前記自動電源遮断条件が満たされたときに、前記第１の時間に亘って前記第１の回転速度で前記冷却ファンを回転させた後に当該第１の回転速度とは相違する第２の回転速度で前記冷却ファンを回転させる。
【００１２】
このプロジェクタによれば、制御部が、手動電源遮断条件が満たされたときに第１の時間に亘って第１の回転速度で冷却ファンを回転させると共に、自動電源遮断条件が満たされたときに、第１の時間に亘って第１の回転速度で冷却ファンを回転させた後に第１の回転速度とは相違する第２の回転速度で冷却ファンを回転させることにより、利用者に対して自動電源遮断時の冷却処理を完了していないことを確実かつ容易に認識させることができる。
【００１３】
さらに、本発明に係るプロジェクタは、前記制御部が、前記第２の回転速度として前記第１の回転速度よりも速い回転速度で前記冷却ファンを回転させる。
【００１４】
このプロジェクタによれば、制御部が、第２の回転速度として第１の回転速度よりも速い回転速度で冷却ファンを回転させることにより、十分に低い温度までプロジェクタを短時間で冷却することができる。
【００１５】
また、本発明に係るプロジェクタは、前記冷却ファンによる冷却処理が未完了であることを報知する報知部を備え、前記制御部が、前記自動電源遮断条件が満たされたときに、前記第１の時間が経過した時点において前記報知部を制御して前記未完了であることの報知を開始させる。
【００１６】
このプロジェクタによれば、制御部が、自動電源遮断条件が満たされたときに、第１の時間が経過した時点において報知部を制御して冷却処理が未完了であることの報知を開始させることにより、利用者に対して自動電源遮断時の冷却処理が未完了であることを確実かつ容易に認識させることができる。
【００１７】
さらに、本発明に係るプロジェクタは、前記報知部が、発光部を備え、当該発光部による連続点灯、および当該発光部による点滅発光のいずれかによって前記未完了であることを報知する。
【００１８】
このプロジェクタによれば、報知部が、発光部による連続点灯、および発光部による点滅発光のいずれかによって冷却処理が未完了であることを報知することにより、利用者に対して自動電源遮断時の冷却処理が未完了であることを直感的に認識させることができる。
【００１９】
また、本発明に係るプロジェクタは、前記制御部が、前記自動電源遮断条件が満たされて前記第１の時間が経過した時点以降において所定のスイッチ操作が行われたときに前記冷却ファンを停止させて前記電源部に対して前記電源の供給を停止させる。
【００２０】
このプロジェクタによれば、制御部が、自動電源遮断条件が満たされて第１の時間が経過した時点以降において所定のスイッチ操作が行われたときに冷却ファンを停止させて電源の供給を停止させることにより、冷却処理が未完了であることを理解している利用者は、冷却処理を強制的に中断して、例えばプロジェクタの持ち運びなどの処理をプロジェクタに対して行うことができる。
【発明を実施するための最良の形態】
【００２１】
以下、本発明に係るプロジェクタおよびプロジェクタの制御方法の最良の形態について、添付図面を参照して説明する。図１に示すプロジェクタ１は、本発明に係るプロジェクタの一例であるフロント投写型のプロジェクタであって、外部装置から出力された映像音声信号Ｓａｖに基づく映像を図示しないスクリーンに表示させると共に映像音声信号Ｓａｖに基づく音声を出力可能に構成されている。このプロジェクタ１は、信号入力部２、映像音声処理部３、映像表示部４、音声出力部５、光源ランプ６、ランプ駆動部７、冷却ファン８、冷却ファン制御部９、制御情報記憶部１０、内部温度検出部１１、操作部１２、操作信号処理部１３、主制御部１４、タイマ１５および電源部１６を備えて、これらが図示しない筐体内に収容されて構成されている。
【００２２】
信号入力部２は、外部装置（各種の視聴覚機器やパーソナルコンピュータなど）から出力された映像音声信号Ｓａｖを映像音声処理部３に出力する。映像音声処理部３は、映像音声信号Ｓａｖに基づいて映像信号Ｓｖおよび音声信号Ｓａを生成して、映像信号Ｓｖを映像表示部４に出力すると共に音声信号Ｓａを音声出力部５に出力する。映像表示部４は、液晶ライトバルブ（光変調素子の一例）、ライトバルブ駆動部（変調素子駆動部の一例）および投写レンズ等を備え、映像音声処理部３から出力された映像信号Ｓｖに基づき、光源ランプ６からの光を液晶ライトバルブによって光変調して投写レンズを介してスクリーンに投写する（映像信号Ｓｖに基づく映像をスクリーンに投写する）。音声出力部５は、アンプやスピーカを備え、映像音声処理部３から出力された音声信号Ｓａに基づく音声をスピーカから出力する
【００２３】
光源ランプ６は、メタルハライドランプや高圧水銀ランプで構成されて、ランプ駆動部７の制御に従って点灯することで白色光を射出する。ランプ駆動部７は、映像音声処理部３の制御に従って光源ランプ６を点灯または消灯させる。冷却ファン８は、冷却ファン制御部９の制御に従って光源ランプ６や映像表示部４（液晶ライトバルブ等）の周囲の空気（筐体内の空気）を筐体の外部に排出することで、光源ランプ６等を冷却する。冷却ファン制御部９は、主制御部１４と相俟って本発明における制御部を構成し、後述するようにして、冷却ファン８に制御信号Ｓ６を出力することで、冷却ファン８を所定の回転速度で回転させる。制御情報記憶部１０は、冷却ファン制御部９が冷却ファン８を回転させるべき時間（本発明における「所定時間」としての「第１の時間」および「第２の時間」）に関する情報や、冷却ファン８の回転速度に関する情報で構成された制御情報Ｄｃを記憶する。内部温度検出部１１は、一例として、筐体内における光源ランプ６の近傍に配設されて、筐体内の温度を検出する。
【００２４】
操作部１２は、プロジェクタ１の動作状態を設定するための各種の操作スイッチや電源スイッチ（いずれも図示せず）を備え、これらのスイッチ操作に応じた操作信号Ｓ１を操作信号処理部１３に出力する。また、操作部１２における電源スイッチの近傍には、本発明における報知部の発光部に相当し、主制御部１４の制御に従って点灯、消灯または点滅発光するインジケータ１２ａ（一例として、ＬＥＤ）が配設されている。操作信号処理部１３は、操作信号Ｓ１に基づいていずれのスイッチが操作されたかを特定して操作信号Ｓ２を生成し、生成した操作信号Ｓ２を主制御部１４に出力する。主制御部１４は、プロジェクタ１を総括的に制御する。具体的には、主制御部１４は、操作信号処理部１３からの操作信号Ｓ２に基づいて電源部１６に制御信号Ｓ７を出力して各部に電源を供給させると共に、映像音声処理部３に制御信号Ｓ３を出力して映像の表示および音声の出力を実行させる。
【００２５】
また、主制御部１４は、操作信号Ｓ２や内部温度検出部１１によって検出された内部温度に基づいて、冷却ファン制御部９に制御信号Ｓ４ａ，Ｓ４ｂを出力して冷却ファン８を回転させる（冷却処理を実行させる）処理や、冷却ファン制御部９に制御信号Ｓ４ｃを出力して冷却ファン８を停止させる（冷却処理を中断させる）処理を実行する。さらに、主制御部１４は、後述するようにして、本発明における手動電源遮断条件および自動電源遮断条件のいずれかが満たされたときに、電源遮断処理を実行する。タイマ１５は、冷却ファン制御部９または主制御部１４の制御に従って所定時間を計時する。電源部１６は、主制御部１４の制御に従ってプロジェクタ１の各部に電源を供給する。
【００２６】
このプロジェクタ１では、電源部１６から電源が供給されている状態（映像表示部４による映像の表示や音声出力部５による音声の出力が実行されている状態）において、利用者によって操作部１２の電源スイッチが操作されたとき（利用者が電源遮断を所望して電源スイッチを操作したとき）に、操作信号処理部１３が、操作部１２からの操作信号Ｓ１に基づいて電源スイッチが操作されたことを示す操作信号Ｓ２を主制御部１４に出力する。これに応じて、主制御部１４は、本発明における手動電源遮断条件が満たされたとして手動電源遮断処理を開始する。この手動電源遮断処理では、主制御部１４は、まず、映像音声処理部３に制御信号Ｓ３を出力することでランプ駆動部７による光源ランプ６の点灯を停止させる（光源ランプ６を消灯させる）と共に、冷却ファン制御部９に対して手動電源遮断条件が満たされたことを特定可能な制御信号Ｓ４ａを出力する。これに応じて、冷却ファン制御部９は、図２に示す冷却処理２０を開始する。
【００２７】
この冷却処理２０では、冷却ファン制御部９は、まず、制御情報記憶部１０に記憶されている制御情報Ｄｃに基づき、主制御部１４に対して制御信号Ｓ５を出力してインジケータ１２ａの低速点滅発光を開始させると共に、冷却ファン８に対して制御信号Ｓ６を出力して冷却ファン８の低速回転（一例として、２０００ｒｐｍ）を開始させる（ステップ２１）。この際に、利用者は、インジケータ１２ａの点滅発光パターン（この例では、低速点滅発光）や、冷却ファン８の回転速度（この例では、２０００ｒｐｍ）によって、プロジェクタ１が電源遮断に伴う通常の冷却処理状態であることを認識する。次いで、冷却ファン制御部９は、タイマ１５を制御して計時を開始させる（タイマスタート：ステップ２２）。続いて、冷却ファン制御部９は、タイマ１５の計時結果に基づき、予め規定された「通常の冷却処理時間（本発明における第１の時間：一例として、３０秒）」を経過したか否かを監視し（ステップ２３）、経過した時点において、電源遮断理由を特定する（ステップ２４）。
【００２８】
この際に、冷却ファン制御部９は、主制御部１４からの制御信号Ｓ４ａの出力に基づき、手動電源遮断条件が満たされたことに伴う手動電源遮断処理であること（自動電源遮断処理ではないこと）を特定し（ステップ２５）、冷却ファン８に対して制御信号Ｓ６を出力して回転を停止させて（ステップ２６）、この冷却処理２０を終了する。また、主制御部１４は、電源部１６に制御信号Ｓ７を出力して電源の供給を停止させる。これにより、手動電源遮断処理が完了する。この場合、手動電源遮断処理を完了した時点においては、光源ランプ６や、その近傍の筐体がある程度の高温を維持した状態となっているが、電源スイッチを操作した利用者は、直前までプロジェクタ１が動作状態であったこと（光源ランプ６や筐体が高温であること）を認識しているため、これらの部位に不用意に触れる事態が回避される。
【００２９】
一方、このプロジェクタ１では、電源部１６から電源が供給されている状態において、予め規定された時間（一例として１０分間）に亘って信号入力部２に対して映像音声信号Ｓａｖが未入力の状態（外部装置から映像音声信号Ｓａｖが出力されていない状態）が続いたとき、または、内部温度検出部１１によって検出される温度が規定温度を超えたときには、主制御部１４は、本発明における自動電源遮断条件が満たされたとして、自動電源遮断処理を開始する。この自動電源遮断処理では、主制御部１４は、まず、上記の手動電源遮断処理時と同様にして、映像音声処理部３に制御信号Ｓ３を出力することでランプ駆動部７による光源ランプ６の点灯を停止させる（光源ランプ６を消灯させる）。次いで、主制御部１４は、冷却ファン制御部９に対して自動電源遮断条件が満たされたことを特定可能な制御信号Ｓ４ｂを出力する。これに応じて、冷却ファン制御部９は、図２に示す冷却処理２０を開始する。なお、冷却処理２０におけるステップ２１からステップ２４までの一連の動作については、上記の手動電源処理時における冷却処理２０と同様のため、その説明を省略する。
【００３０】
自動電源遮断処理時における冷却処理２０に際して、冷却ファン制御部９は、主制御部１４からの制御信号Ｓ４ｂの出力に基づき、自動電源遮断条件が満たされたことに伴う自動電源遮断処理であることを特定する（ステップ２５）。この際に、冷却ファン制御部９は、主制御部１４に対して制御信号Ｓ５を出力してインジケータ１２ａの高速点滅発光を開始させると共に、冷却ファン８に対して制御信号Ｓ６を出力して冷却ファン８の高速回転（一例として、４０００ｒｐｍ）を開始させる（ステップ２７）。この際に、利用者は、インジケータ１２ａの点滅発光パターン（この例では、高速点滅発光）や、冷却ファン８の回転速度（この例では、４０００ｒｐｍ）によって、プロジェクタ１が自動電源遮断処理に伴う冷却処理状態であることを認識する。次いで、冷却ファン制御部９は、タイマ１５を制御して計時を開始させる（タイマスタート：ステップ２８）。
【００３１】
続いて、冷却ファン制御部９は、インジケータ１２ａの高速点滅発光および冷却ファン８の高速回転を開始させた時点以降に操作部１２のいずれかのスイッチが操作されたか否かと（ステップ２９）、予め規定された「自動電源遮断時の冷却処理時間（本発明における第２の時間から第１の時間を差し引いた時間：一例として、ステップ２８におけるタイマスタート時から６０秒）」を経過したか否か（ステップ３０）とを監視する。この場合、このプロジェクタ１では、自動電源遮断時における最初の３０秒の冷却処理を完了した後に、操作部１２のいずれかのスイッチが操作されたときに、その後の６０秒の冷却処理を強制的に中断可能に構成されている。したがって、上記のステップ２７以降にいずれかのスイッチが操作されて（操作部１２から操作信号Ｓ１が出力されて）操作信号処理部１３から操作信号Ｓ２が出力されたときに、主制御部１４が冷却ファン制御部９にスイッチが操作されたことを報知する制御信号Ｓ４ｃを出力する。
【００３２】
これに応じて、冷却ファン制御部９は、冷却ファン８に対して制御信号Ｓ６を出力して回転を停止させて（ステップ２６）、この冷却処理２０を終了する。また、主制御部１４は、電源部１６に制御信号Ｓ７を出力して電源の供給を停止させる。これにより、自動電源遮断処理が完了する。この場合、上記の冷却処理２０を強制的に中断した時点においては、光源ランプ６や、その近傍の筐体がある程度の高温を維持した状態となっているが、操作部１２のスイッチを操作した利用者は、直前までプロジェクタ１が動作状態であったこと（光源ランプ６や筐体が高温であること）を認識しているため、これの部位に不用意に触れる事態が回避される。
【００３３】
一方、自動電源遮断処理時における冷却処理２０のステップ２７以降において、いずれのスイッチも操作されることなく、規定時間を経過したときには（ステップ３０）、冷却ファン制御部９は、冷却ファン８に対して制御信号Ｓ６を出力して回転を停止させて（ステップ２６）、この冷却処理２０を終了する。また、主制御部１４は、電源部１６に制御信号Ｓ７を出力して電源の供給を停止させる。これにより、自動電源遮断処理が完了する。この場合、上記の冷却処理２０が完了した時点においては、光源ランプ６や、その近傍の筐体が十分に冷却されて低温となっている。したがって、プロジェクタ１が直前まで動作していたか否かを知らない者が光源ランプ６や筐体に触れたとしても、火傷を負うなどの危険な状態に陥るのが回避される。
【００３４】
このように、このプロジェクタ１、およびその制御方法によれば、冷却ファン制御部９および主制御部１４が、電源部１６から電源が供給されている状態において、本発明における手動電源遮断条件が満たされたときに本発明における第１の時間（この例では、３０秒）に亘って冷却ファン８を回転させた後に電源部１６に対して電源の供給を停止させると共に、本発明における自動電源遮断条件が満たされたときに本発明における第２の時間（上記の第１の時間よりも長い時間：この例では、３０秒＋３０秒＝６０秒）に亘って冷却ファン８を回転させた後に電源の供給を停止させることにより、冷却ファン８の停止後に利用者が直前までプロジェクタ１が動作していたか否かを認識するのが困難な自動電源遮断時においてプロジェクタ１を十分に冷却することができる結果、構造の複雑化や製造コストの高騰を招くことなく、利用者が冷却ファン８やその周囲の筐体に触れた際に不快な思いをしたり火傷を負ったりする事態を確実に回避することができる。
【００３５】
また、このプロジェクタ１によれば、冷却ファン制御部９および主制御部１４が、本発明における手動電源遮断条件が満たされたときに上記の第１の時間（３０秒）に亘って本発明における第１の回転速度（この例では、２０００ｒｐｍ）で冷却ファン８を回転させると共に、本発明における自動電源遮断条件が満たされたときに、上記の第１の時間に亘って第１の回転速度（２０００ｒｐｍ）で冷却ファン８を回転させた後に本発明における第２の回転速度（上記の第１の回転速度よりも速い速度：この例では：４０００ｒｐｍ）で冷却ファン８を回転させることにより、利用者に対して自動電源遮断時の冷却処理を完了していないことを確実かつ容易に認識させることができる。
【００３６】
さらに、このプロジェクタ１によれば、冷却ファン制御部９および主制御部１４が、上記の第２の回転速度として第１の回転速度よりも速い回転速度で冷却ファン８を回転させることにより、十分に低い温度までプロジェクタ１を短時間で冷却することができる。
【００３７】
また、このプロジェクタ１によれば、冷却ファン制御部９および主制御部１４が、本発明における自動電源遮断条件が満たされたときに、上記の第１の時間を経過した時点においてインジケータ１２ａ（本発明における報知部の発光部）を制御して冷却処理を完了していないことの報知（この例では、高速点滅発光）を開始させることにより、利用者に対して自動電源遮断時の冷却処理が未完了であることを確実かつ容易に認識させることができる。
【００３８】
さらに、このプロジェクタ１によれば、本発明における報知部に発光部に相当するインジケータ１２ａが、連続点灯および点滅発光のいずれか（この例では、点滅発光）によって冷却処理を完了していないことを報知することにより、利用者に対して自動電源遮断時の冷却処理が未完了であることを直感的に認識させることができる。
【００３９】
また、このプロジェクタ１によれば、冷却ファン制御部９および主制御部１４が、本発明における自動電源遮断条件が満たされて上記の第１の時間（３０秒）を経過した時点以降において所定のスイッチ操作（この例では、操作部１２のいずれかのスイッチ操作）が行われたときに冷却ファン８を停止させて電源の供給を停止させることにより、冷却処理が未完了であることを理解している利用者は、冷却処理を強制的に中断して、例えばプロジェクタ１の持ち運びなどの処理をプロジェクタ１に対して行うことができる。
【００４０】
なお、本発明は、上記の構成に限定されない。例えば、自動電源遮断処理時において本発明における第１の時間を経過した後に冷却ファン８の回転速度をそれ以前の２０００ｒｐｍ（本発明における第１の回転速度）よりも速い４０００ｒｐｍ（本発明における第２の回転速度）に変更する例について説明したが、本発明はこれに限定されず、自動電源遮断処理時において本発明における第１の時間を経過した後に冷却ファン８の回転速度をそれ以前の２０００ｒｐｍ（本発明における第１の回転速度）よりも遅い１０００ｒｐｍ（本発明における第２の回転速度の他の例）に変更する構成を採用することができる。このような構成においても、上記のプロジェクタ１と同様にして、冷却ファン８の回転速度の相違によって利用者に対して自動電源遮断時の冷却処理を完了していないことを確実かつ容易に認識させることができる。
【００４１】
また、本発明における報知部として、インジケータ１２ａ（発光部）の点滅速度を変化させることで冷却処理が未完了であることを報知する構成について説明したが、本発明はこれに限定されず、点滅パターンを変化させたり、専用の発光部を点灯または消灯させたりすることで冷却処理の未完了状態を報知する構成を採用することができる。さらに、本発明における報知部の構成は、インジケータ１２ａのような発光部の点灯、消灯または点滅発光による報知だけでなく、文字情報の表示による報知や、音声による報知が可能な各種の構成を採用することができる。このような構成においても、上記のプロジェクタ１と同様にして、利用者に対して自動電源遮断時の冷却処理が未完了であることを直感的に認識させることができる。
【００４２】
また、液晶ライトバルブを備えたプロジェクタ１を例に挙げて説明したが、液晶ライトバルブに代えて、デジタルマイクロミラーデバイス等の光変調素子を採用してプロジェクタを構成することができる。この場合、光変調素子として液晶ライトバルブを採用するときにおいても、透過型の液晶ライトバルブに限定されず、反射型の液晶ライトバルブを採用することができる。さらに、フロント投写型のプロジェクタ１を例に挙げて説明したが、本発明に係るプロジェクタはフロント投写型に限定されず、背面投写型のプロジェクタに本発明を適用することもできる。
【図面の簡単な説明】
【００４３】
【図１】プロジェクタ１の構成を示すブロック図である。
【図２】冷却処理２０のフローチャートである。
【符号の説明】
【００４４】
１  プロジェクタ、６  光源ランプ、８  冷却ファン、９  冷却ファン制御部、１０  制御情報記憶部、１１  内部温度検出部、１２  操作部、１２ａ  インジケータ、１３  操作信号処理部、１４  主制御部、１５  タイマ、１６  電源部、２０  冷却処理、Ｄｃ  制御情報、Ｓ１，Ｓ２  操作信号、Ｓ３，Ｓ４ａ，Ｓ４ｂ，Ｓ４ｃ，Ｓ５，Ｓ６，Ｓ７  制御信号
【図１】
2009025337.tif 000003
【図２】
2009025337.tif 000004